(57)【要約】      （修正有）【課題】脱いだ後、服本体及び服本体に縫製するシートが形成する開口部を有する収容空間に折り畳んで収容すると、衣服が空間を過剰に占領せずに収容が便利になる上に、使用者が買い物をする際に買った物品を収容可能となる多機能服を提供する。【解決手段】少なくとも１つの第一結合部材１１１を設ける服本体１１と、服本体の内面に結合し、且つ上端と服本体との間に第一開口部を有する第一収容空間を形成し、対応する第一結合部材１２２を設け、服本体の部分は第一開口部から進んで第一収容空間に収容し、第一結合部材を対応する第一結合部材に固定するように結合し、服本体の第一収容空間に収容する部分を位置決めし、収容バッグを形成する第一シート１２と、を備える。【選択図】図１
0003228956.tif 000002
【実用新案登録請求の範囲】
【請求項１】
少なくとも１つの第一結合部材を設ける服本体と、
両側辺及び底辺が前記服本体の内面にそれぞれ結合する第一シートであって、前記第一シートの上端と前記服本体との間に第一開口部を有する第一収容空間を形成し、前記第一シートには前記第一結合部材に対応する対応する第一結合部材を設け、前記服本体の部分は前記第一開口部から進前記第一収容空間に収容し、前記第一結合部材を前記対応する第一結合部材に固定するように結合し、前記服本体の前記第一収容空間に収容する部分を位置決めし、且つ収容バッグを形成する第一シートと、を備えることを特徴とする、
多機能服。
【請求項２】
前記服本体は身体部及び２つのスリーブ部を有し、前記第一結合部材は前記２つのスリーブ部の前記身体部に隣接する箇所に近接する位置に設け、前記対応する第一結合部材は前記第一シートの底辺に設けていることを特徴とする請求項１に記載の多機能服。
【請求項３】
前記身体部の外面の両側の辺縁には複数の対応する第二結合部材及び対応する第二結合部材をそれぞれ設けていることを特徴とする請求項２に記載の多機能服。
【請求項４】
前記身体部の上辺はキャップ本体にも連接することを特徴とする請求項３に記載の多機能服。
【請求項５】
前記第一シートの前記服本体に対向する一側には反射面を有することを特徴とする請求項１に記載の多機能服。
【請求項６】
前記第一シート及び前記服本体の前記第一開口部に対応する位置には共にハンドルを設置することを特徴とする請求項１に記載の多機能服。
【請求項７】
前記服本体及び前記第一シートの前記第一開口部に対応する位置には対応する第三結合部材及び対応する第三結合部材を更にそれぞれ設けることを特徴とする請求項１に記載の多機能服。
【請求項８】
第二シートを更に有し、前記第二シートの両側辺及び底辺は前記第一シートの前記服本体とは反対にある一側にそれぞれ結合し、且つ前記第二シートの上端と前記第一シートの上端との間には第二開口部を有する第二収容空間を形成することを特徴とする請求項１乃至７の何れか１項に記載の多機能服。
【請求項９】
前記第二シート及び前記第一シートの前記第二開口部に対応する位置には対応する第四結合部材及び対応する第四結合部材を更にそれぞれ設けることを特徴とする請求項８に記載の多機能服。
【請求項１０】
前記服本体の材質は防水材質、反射材質、及び防水反射材質の少なくともいずれか一つを含むことを特徴とする請求項１乃至７の何れか１項に記載の多機能服。
【考案の詳細な説明】
【技術分野】
【０００１】
本考案は、服に関し、更に詳しくは、整理して収容しやすい異なる形態に変化する改良された多機能服に関する。
【背景技術】
【０００２】
衣服は人間生活の必需品であり、人々は必要に応じて様々な衣服に着替えている。例えば、防寒や防雨のためのコートや雨合羽等の衣服がある。
【考案の概要】
【考案が解決しようとする課題】
【０００３】
しかしながら、従来のコートや雨合羽等の衣服は、脱いだ後に直接手で持たねばならない上に、これらの衣服には他に用途がなく、機能性を欠いていた。また、収容する場合、これらの衣服は体積が大きすぎるため占有する空間も大きくなり、収容が不便になるため改善の必要があった。
【０００４】
また、現代人は空き時間に買い物をしたりするが、買い物をする際には購入した物品を入れるために買い物バッグや収容バッグを別途携帯する必要があり、買い物の負担が増した。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものであり、その目的とするところは、使用者が衣服を脱いだ後、服本体及び服本体に縫製するシートが形成する開口部を有する収容空間に折り畳んで収容し、衣服が空間を過剰に占有しないようにして収容を便利にする、多機能服を提供することにある。
さらに、収容バッグを形成し、且つ服本体及びシートの結合箇所に設ける結合部材により、服本体を収容空間に整理して収容しやすくし、使用者が買い物した際に物品を確実に収容可能にする。
【課題を解決するための手段】
【０００７】
上記目的を達成するための主たる考案は、少なくとも１つの第一結合部材を設ける服本体と、両側辺及び底辺が前記服本体の内面にそれぞれ結合する第一シートであって、前記第一シートの上端と前記服本体との間に第一開口部を有する第一収容空間を形成し、前記第一シートには前記第一結合部材に対応する対応する第一結合部材を設け、前記服本体の部分は前記第一開口部から進前記第一収容空間に収容し、前記第一結合部材を前記対応する第一結合部材に固定するように結合し、前記服本体の前記第一収容空間に収容する部分を位置決めし、且つ収容バッグを形成することと、を備えていることを特徴とする多機能服である。
【０００８】
本考案の好適例において、前記服本体は身体部及び２つのスリーブ部を有し、前記第一結合部材は前記２つのスリーブ部の前記身体部に隣接する箇所に近接する位置に設け、前記対応する第一結合部材は前記第一シートの底辺に設けている。
【０００９】
本考案の好適例において、前記身体部の外面の両側の辺縁には複数の対応する第二結合部材及び対応する第二結合部材をそれぞれ設けている。
【００１０】
本考案の好適例において、前記身体部の上辺はキャップ本体にも連接する。
【００１１】
本考案の好適例において、前記第一シートの前記服本体に対向する一側には反射面を有する。
【００１２】
本考案の好適例において、前記第一シート及び前記服本体の前記第一開口部に対応する位置には共にハンドルを設置する。
【００１３】
本考案の好適例において、前記服本体及び前記第一シートの前記第一開口部に対応する位置には対応する第三結合部材及び対応する第三結合部材を更にそれぞれ設けている。
【００１４】
本考案の好適例において、第二シートを更に有し、前記第二シートの両側辺及び底辺は前記第一シートの前記服本体とは反対にある一側にそれぞれ結合する。前記第二シートの上端と前記第一シートの上端との間には第二開口部を有する第二収容空間を形成する。
【００１５】
本考案の好適例において、前記第二シート及び前記第一シートの前記第二開口部に対応する位置には対応する第四結合部材及び対応する第四結合部材を更にそれぞれ設けている。
【００１６】
本考案の好適例において、前記服本体の材質は防水材質及び／または反射材質を含む。
【００１７】
本明細書及び図面の記載により、少なくとも、以下の事項が明らかとなる。
【図面の簡単な説明】
【００１８】
【図１】本考案に係る多機能服の内面の正面図である。
【図２】使用者が本考案のスリーブ部を服本体の内面に引き入れ、折り畳んだ後の概略図である。
【図３】使用者が本考案の服本体を上下半分に折り畳む概略図である。
【図４】本考案を買い物バッグ形態に収容する概略図である。
【図５】使用者が図４に示す買い物バッグ形態の多機能服を左右に折り畳んで収容する概略図である。
【図６】使用者が図５に示す買い物バッグ形態の多機能服を上下半分に折り畳む概略図である。
【図７】使用者が図５に示す買い物バッグ形態の多機能服を上下半分に折り畳む概略図である。
【図８】本考案を収容バッグ形態に収容する概略図である。
【考案を実施するための形態】
【００１９】
以下、本開示の実施形態について図面を用いて説明する。なお、本開示は、下記の実施形態に何ら限定されることはなく、本開示の技術的範囲に属する限り種々の形態を採りうる。なお、図面及び実施形態において、同じまたは相似する図面の符合は全ての図面において皆同じ、実質的に同じ、或いは機能が同じである部材を指す。図面は簡略化しており、且つ全ての実施形態において、図面は精確なサイズで描写しているわけではない。
【００２０】
以下、図１〜８を参照しながら、本考案をさらに詳しく説明する。
【００２１】
本考案の多機能服１０は、少なくとも１つの第一結合部材１１１を設ける服本体１１と、前記第一シート１２の両側辺及び底辺が前記服本体１１の内面にそれぞれ結合する第一シート１２と、を備えている。
前記第一シート１２の上端と前記服本体１１との間には第一開口部１２１を有する第一収容空間を形成し、前記第一シート１２には前記第一結合部材１１１に対応する対応する第一結合部材１２２を設けている。前記服本体１１の部分は前記第一開口部１２１から前記第一収容空間に収容し、前記第一結合部材１１１を前記対応する第一結合部材１２２に固定するように結合し、前記服本体１１の前記第一収容空間に収容する部分を位置決めし、収容バッグを形成する。これにより、本考案の多機能服１０が前記服本体１１及び前記第一シート１２の結合箇所に設ける前記第一結合部材１１１及び前記対応する第一結合部材１２２により、前記服本体１１を前記第一収容空間に整理して収容することで、使用者が買い物をする際に物品を収容可能にする。本考案の一実施形態において、前記収容バッグは買い物バッグまたは収容バッグを含むが、但しこれらに限られない（図１乃至図４参照）。
【００２２】
次に、前記服本体１１の詳細を説明する。前記服本体１１は身体部１１２及び２つのスリーブ部１１３を有し、前記第一結合部材１１１は前記２つのスリーブ部１１３の前記身体部１１２に隣接する箇所に近接する位置に設け、前記対応する第一結合部材１２２は前記第一シート１２の底辺に設けている。
使用者が着脱するために、前記身体部１１２の外面の両側の辺縁に複数の対応する第二結合部材１１４及び対応する第二結合部材１１５をそれぞれ設けている。また、前記身体部１１２の上辺はキャップ本体１１６に更に連接し、使用者が本考案の多機能服１０を着る場合、前記キャップ本体１１６を頭部に被り、頭部の快適性を追及する。また、前記服本体１１の材質は防水材質を含み、防水材質の防水機能により、本考案の多機能服１０を雨合羽として使用可能にする（図１参照）。
【００２３】
また、前記服本体１１の材質として反射材質を更に含み、反射機能を有することで使用者が本考案の多機能服１０を夜間に着た際に、歩行者やドライバーに前記使用者の存在を知らせて事故を防ぐ。また、前記服本体１１の材質として防水反射材質を含んでもよい。
図４に示すように、前記第一シート１２の前記服本体１１に対向する一側には反射面１２３を有し、使用者が本考案の多機能服１０を買い物バッグとして折り畳んでも反射機能を有する。前記第一シート１２及び前記服本体１１の対応する前記第一開口部１２１の位置には共にハンドル１３を設け、使用者が本考案の多機能服１０を買い物バッグまたは収容バッグとして折り畳んだ際に手に持ったり、肩に掛けたりできるようにする。
さらに、本考案の多機能服１０は第二シート１４を更に有し、前記第二シート１４の両側辺及び底辺は前記第一シート１２の前記服本体１１とは反対にある一側にそれぞれ結合し、且つ前記第二シート１４の上端と前記第一シート１２の上端との間には第二開口部１４１を有する第二収容空間を形成する。
【００２４】
また、図１〜８を参照しながら、本考案の多機能服１０を折り畳んで収容する方法を説明する。まず、使用者は多機能服１０の服本体１１を開く（図１参照）。前記２つのスリーブ部１１３を前記服本体１１の内面に引き入れ、前記服本体１１の内面を外側に裏返し、これら前記第二結合部材１１４及びこれら前記対応する第二結合部材１１５を結合した後、前記２つのスリーブ部１１３及び前記キャップ本体１１６を前記身体部１１２に向けて折る（図２参照）。上下半分折りにし、前記第一シート１２に近い大きさに形成し、前記第一結合部材１１１及び前記対応する第一結合部材１２２を固定するように結合する（図３参照）。次に、前記第一開口部１２１から前記第一収容空間を形成する内面を見つけ出し、内側と外側とを裏返しにし、前記服本体１１を第一収容空間中に収容し、図４に示すような買い物バッグを形成する。
このようにして、使用者は本考案の多機能服１０を折り畳んで体積の大きい買い物バッグとして収容する。しかしながら、使用者が買い物バッグとして折り畳んだ多機能服１０は左右３つの部分に分かれ、且つハンドル１３の両側に位置する部分はハンドル１３の部分に向けて折る（図５参照）。
図５に示す多機能服１０は下から上に半分折りにする（図６と図７参照）。次に、前記第二開口部１４１から前記第二収容空間を形成する内面を見つけ出し、内側を外側に裏返し、前記服本体１１を第二収容空間中に収容し、図８に示すような収容バッグを形成する。これにより、使用者は本考案の多機能服１０を折り畳んで体積の小さい収容バッグとして収容可能になる。
【００２５】
最後に、前記服本体１１及び前記第一シート１２の前記第一開口部１２１に対応する位置には対応する第三結合部材（図示省略）及び対応する第三結合部材を更にそれぞれ設け、折り畳んで前記買い物バッグとして収容する際に、前記第三結合部材及び前記対応する第三結合部材を結合することで前記第一開口部１２１を縮小または封鎖する。また、前記第二シート１４及び前記第一シート１２の前記第二開口部１４１に対応する位置には対応する第四結合部材及び対応する第四結合部材を更にそれぞれ設け、折り畳んで前記収容バッグとして収容する際に、前記第四結合部材及び前記対応する第四結合部材を結合することで前記第二開口部１４１を縮小または封鎖する。しかしながら、前記第一シート１２に設ける対応する第三結合部材及び前記対応する第四結合部材は同じ形態の結合部材であり、さらには同一の結合部材であり、前記服本体１１に設ける第三結合部材及び前記第二シート１４に設ける第四結合部材は同じ形態の結合部材である。
【００２６】
以上、本考案の結合部材及び対応する結合部材は対応する係合部材形態で設けるが、本考案はこれに限られない。
【００２７】
本考案は改良された多機能服を確実に提供する。使用者が衣服を脱いだ後、服本体及び服本体に縫製するシートが形成する開口部を有する収容空間に折り畳んで収容し、衣服が空間を過剰に占有せずに収容が便利になるほか、収容バッグを更に形成する。
また、服本体及びシートの結合箇所に設ける結合部材により、服本体を整理して収容空間に収容し、使用者が買い物の際に購入した物品を確実に収容可能にする。
【００２８】
上記説明は、本考案を説明するためのものであって、実用新案登録請求の範囲に記載の発明を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００２９】
１０  多機能服
１１  服本体
１１１  第一結合部材
１１２  身体部
１１３  スリーブ部
１１４  第二結合部材
１１５  対応する第二結合部材
１１６  キャップ本体
１２  第一シート
１２１  第一開口部
１２２  対応する第一結合部材
１２３  反射面
１３  ハンドル
１４  第二シート
１４１  第二開口部
【図１】
0003228956.tif 000003
【図２】
0003228956.tif 000004
【図３】
0003228956.tif 000005
【図４】
0003228956.tif 000006
【図５】
0003228956.tif 000007
【図６】
0003228956.tif 000008
【図７】
0003228956.tif 000009
【図８】
0003228956.tif 000010